(57)【要約】【課題】  文字数が多すぎるジョブ名や、ＷｅｂページのＵＲＬなど元々わかりにくいジョブ名の印刷ジョブを送信すると、セキュアプリント時にプリンタの操作パネル上で各々のジョブを互いに識別できないという課題があった。【解決手段】  長すぎたりわかりにくかったりするジョブ名の代わりに、そのジョブを表すのにふさわしい互いに識別可能なわかりやすいジョブ名を容易に付与する手段を提供する。  印刷ジョブに含まれるテキストデータからそのジョブを表すのにふさわしいテキストを抽出し、置き換えるべきジョブ名の候補としてユーザに対して印刷前に提示する。  さらに、ユーザが印刷アプリケーション上でテキストの一部をコピーしていればそれも候補として提示する。【選択図】  図１
2010113595.tif 000002
【特許請求の範囲】
【請求項１】
印刷ジョブに含まれるテキストデータのテキストおよび属性情報を捕捉する捕捉手段と、
捕捉した前記テキストをジョブ名として置き換える置き換え手段と、
を含むことを特徴とする印刷制御装置。
【請求項２】
前記捕捉手段で捕捉するテキストデータの属性情報は、テキストの描画位置座標、タイプフェイス種類、フォントスタイル、フォントの大きさ、
を含むことを特徴とする請求項１に記載の印刷制御装置。
【請求項３】
前記捕捉手段において捕捉したテキストの属性情報からジョブ名としてふさわしい位置にあるものを１つ以上選別する選別手段と、
前記選別手段で選別された１つ以上のテキストをジョブ名の候補として印刷前にユーザに提示する提示手段と、
提示されたジョブ名候補の中から置き換えた後のジョブ名を選択して入力させる入力手段と、
を含むことを特徴とする請求項１に記載の印刷制御装置。
【請求項４】
オペレーティングシステムの管理するクリップボードデータに含まれるテキストを取り出す取り出し手段と、
前記取り出し手段で取り出したテキストを追加の候補として前記提示手段内に提示する第２の提示手段と、
を含むことを特徴とする請求項１に記載の印刷制御装置。
【発明の詳細な説明】
【技術分野】
【０００１】
本発明は印刷制御装置に関し、詳しくはパーソナルコンピュータ等の情報処理装置とプリンタなどの印刷装置を有して構成されるシステムにおいて、特に前記印刷制御装置における印刷ジョブの名称を付与する方法に関するものである。
【背景技術】
【０００２】
近年、デジタル複合機は高機能化が進み、印刷ジョブやコピージョブを保持できるハードディスク装置や、タッチ式で操作が可能な液晶パネルディスプレイなどを備えるようになっている。
【０００３】
そしてこのような特徴を備えたデジタル複合機とホストコンピュータ上のプリンタドライバソフトとを組み合わせた様々な印刷システムが盛んに研究、開発されている。
【０００４】
例えば特許文献１で提案されている画像形成システムでは、ユーザはホストコンピュータより印刷ジョブとそれに対して設定されたパスワードとをプリンタへ送信する。
【０００５】
プリンタは受信した印刷ジョブをすぐには出力せず、いったんプリンタ内のハードディスク装置内に留め置く。
【０００６】
そして、ユーザはプリンタの液晶パネルディスプレイを確認しながら操作し、留め置かれている印刷ジョブの一覧から自分のジョブを選択して、パスワードを入力する。
【０００７】
プリンタはそのパスワードと前記パスワードとが一致した場合に、そのパスワードに対応するプリントジョブをプリントアウトする。
【０００８】
このように、パスワードなどの認証情報を入力して、それが認証された場合に、プリンタに保持されている印刷ジョブを引き出してプリントする機能をセキュアプリント（または機密印刷、または親展印刷）と呼んでいる。
【０００９】
ところで、印刷出力の対象となるデータは、生成するアプリケーションソフトウェアにより作成された原稿や、Ｗｅｂページ、電子メールなど多岐にわたる。
【００１０】
このため、印刷ジョブを表す印刷ジョブ名も英語に限らず日本語や中国語など他言語にわたる。
【００１１】
しかしながら、デジタル複合機に搭載できる液晶パネルディスプレイ装置はホストコンピュータ側で利用されるモニタに比べて小さく、表示解像度などの性能が低いため表示できるフォントや文字数に制限がある。
【００１２】
こうした制限のため、多言語のユーザ環境においてユーザはプリンタの液晶パネルディスプレイ上でセキュアプリントの印刷ジョブ一覧を確認しても、印刷ジョブ名が文字化け等を起こしてしまうため自分のジョブを選択できないという問題があった。
【００１３】
このような課題を解決するため、例えば特許文献２では、プリンタのフォント表示能力に合わせて適切に印刷ジョブ名をカタカナやアルファベットに変換して送信する印刷出力ユーザインタフェース制御方法を提案している。
【特許文献１】特開平９−６５１４８号公報
【特許文献２】特開２００２−１４７８８号公報
【発明の開示】
【発明が解決しようとする課題】
【００１４】
しかしながら、ユーザがジョブ一覧の中から自分の印刷ジョブを選択するのを困難と感じる状況は多言語フォントが文字化けを起こしたときだけに限定されるわけではない。
【００１５】
例えば英語だけのジョブ名であっても文字数が多く互いに似た名前のものを複数プリンタに送信した場合、液晶パネルディスプレイの表示文字数制限を超えると、ユーザは個々を互いに区別できなくなってしまう。
【００１６】
また例えば、Ｗｅｂブラウザアプリケーションがジョブ名として表示中のＷｅｂページのＵＲＬを指定してきたような場合、そもそもＵＲＬを見ても、それがどのようなジョブであるかわからないことがしばしばある。
【００１７】
そこで本発明は、上述のような長すぎたりわかりにくかったりするジョブ名に代わって、そのジョブを表すのにふさわしく、プリンタのパネル上での表示に適したジョブ名を容易に付与するための手段を提供することを目的とする
【課題を解決するための手段】
【００１８】
上記目的を達成するために第１の発明である印刷制御装置は、印刷ジョブに含まれるテキストデータのテキストを捕捉する捕捉手段と、
捕捉した前記テキストをジョブ名として置き換える置き換え手段とを構成としたものである。
【００１９】
第２の発明である印刷制御装置は、前記捕捉手段において捕捉したテキストの描画座標位置からジョブ名としてふさわしい位置にあるものを１つ以上選別する選別手段と、前記選別手段で選別された１つ以上のテキストをジョブ名の候補として印刷前にユーザに提示する提示手段と、提示されたジョブ名候補の中から置き換えた後のジョブ名を選択して入力させる入力手段と、を構成したものである。
【００２０】
第３の発明である印刷制御装置は、オペレーティングシステムの管理するクリップボードデータに含まれるテキストを取り出す取り出し手段と、前記取り出し手段で取り出したテキストを追加の候補として前記提示手段内に提示する第２の提示手段と、を構成したものである。
【発明の効果】
【００２１】
本発明により、ユーザは文字数が長すぎたりＵＲＬのように元々わかりにくかったりするジョブ名の代わりに、印刷ジョブの本文から抽出された複数のテキストからジョブ名としてふさわしいものを選択し、ジョブ名として置き換えることが可能となる。
【００２２】
さらにユーザは印刷前にアプリケーション上で本文の一部からジョブ名にふさわしいテキストの一部をコピーしておくことによって、そのテキストがジョブ名の候補として提示されるようになる。
【００２３】
その結果、プリンタ上でジョブ名が無味乾燥な記号のような文字列ではなく、その印刷ジョブにふさわしい名称で管理されるため、セキュアプリントのような一時留め置くような印刷形態でジョブ同士を容易に見分けることができるようになり、作業効率を向上させられる。
【発明を実施するための最良の形態】
【００２４】
次に、本発明の詳細を実施例の記述に従って説明する。
【実施例１】
【００２５】
以下、添付図面を参照して本発明の好適な実施の形態を説明する。
【００２６】
≪図１：印刷システムの構成≫
図１は、本発明の実施の形態に係る印刷システムの構成例を説明する図である。
【００２７】
図１において、１０はホストコンピュータでユーザが印刷を指示するための端末である。
【００２８】
２０はプリンタでここではデジタル複合機の場合で示しているが、本発明はこれに限定されない。
【００２９】
ここで、ホストコンピュータ１０とプリンタ２０とはセントロニクス等のインターフェース或はイーサネット（登録商標）等のネットワークを介して接続されている。
【００３０】
≪図２：ホストコンピュータの内部システム構成≫
図２は一般的なコンピューターであるホストコンピュータ１０の内部システムを表すブロック構成図である。
【００３１】
ＣＰＵ１０１はＲＯＭ１０２あるいはＲＡＭ１０３あるいは外部記憶装置１０５に格納されたプログラムに従って装置全体の制御を行う。
【００３２】
ＲＡＭ１０３はＣＰＵ１０１が各種処理を行う際のワークエリアとして使用される。
【００３３】
外部記憶装置１０５はオペレーティングシステム（ＯＳ）やアプリケーションソフト、プリンタドライバソフト等を記録する。
【００３４】
キーボード１０４もしくは図示していないマウスなどの入力機器は、ユーザーが各種指示を与えるためのデバイスである。
【００３５】
ネットワークＩ／Ｆ１０６およびプリンタＩ／Ｆ１０７はイーサネット（登録商標）または専用インターフェースを介してプリンタ２０と接続し、データの授受を行うためのインターフェースである。
【００３６】
モニタＩ／Ｆ１０８はモニタに接続し表示データの転送を行うためのインターフェースである。また、１１０は共通データバスである。
【００３７】
≪図３：印刷処理のための詳細なシステム構成≫
図３はホストコンピュータ１０における印刷処理のためのおおまかな構成を表すブロック図である。
【００３８】
ここでは代表的な例としてＷｉｎｄｏｗｓ（登録商標）  ＯＳにおける印刷システムの構成とおおまかな流れを説明する。
【００３９】
アプリケーション２０１、グラフィックエンジン２０２、プリンタドライバ２０３、およびシステムスプーラ２０４は、外部メモリ１０５に保存されたファイルとして存在する。
【００４０】
そして、これらは、ＯＳやそのモジュールを利用するモジュールによってＲＡＭ１０３にロードされて実行されるプログラムモジュールである。
【００４１】
また、アプリケーション２０１およびプリンタドライバ２０３は、外部メモリ１０５のＦＤや不図示のＣＤ−ＲＯＭ、あるいは不図示のネットワークを経由して外部メモリ１０５のＨＤに追加することが可能となっている。
【００４２】
アプリケーション２０１からプリンタ２０に対して印刷を行う際には、グラフィックエンジン２０２を利用して出力（描画）を行う。
【００４３】
ユーザはプリンタごとに用意されたプリンタドライバ２０３を、アプリケーション２０１の出力先として設定する。
【００４４】
ユーザはさらにアプリケーション２０１上で、必要に応じてあらかじめ印刷出力に関わる印刷設定を行う。
【００４５】
ユーザはアプリケーション２０１の有するユーザインターフェースを通じて設定値を入力したり、プリンタドライバ２０３の有するユーザインターフェースを表示させて設定値を入力することができる。
【００４６】
ユーザから印刷開始の指示があると、グラフィックエンジン２０２はアプリケーション２０１から受け取るＧＤＩ（Ｇｒａｐｈｉｃｓ  Ｄｅｖｅｉｃｅ  Ｉｎｔｅｒｆａｃｅ）関数の一連の命令をＤＤＩ（Ｄｅｖｉｃｅ  Ｄｒｉｖｅｒ  Ｉｎｔｅｒｆａｃｅ）関数の一連の命令に変換して、プリンタドライバ２０３へ出力する。
【００４７】
プリンタドライバ２０３は、グラフィックエンジン２０２から入力されたＤＤＩ関数に基づいて、プリンタ２０が認識可能な制御コマンドであるページ記述言語（ＰＤＬ）データに変換する。
【００４８】
変換されたＰＤＬデータは、システムスプーラ２０４を経てインターフェース経由でプリンタ２０へ印刷ジョブとして出力される仕組みとなっている。
【００４９】
なおプリンタドライバ２０３は、ユーザからの印刷指示があってＤＤＩ関数の命令を受け取った後であっても、さらに印刷設定をユーザに行わせるためにいったん印刷処理を一時停止させてユーザインターフェースを表示させることも可能である。
【００５０】
このような印刷指示開始後の一時停止による印刷設定の方法は、セキュアプリントのように印刷ジョブ毎にパスワードを変更することが望ましい印刷方法において利用される。
【００５１】
≪図４：実施の一形態の流れを表すフローチャート≫
図４は本発明による実施の一形態の流れを表すフローチャートである。
【００５２】
ここでは印刷を行うユーザの視点から本発明によってセキュアプリント時にそのジョブ名にふさわしいジョブ名が容易に入力できることを図５、図６、図７、図８、図９、図１０のユーザインターフェース例を交えながら説明する。
【００５３】
まずステップＳ１００においてユーザは、印刷を行うアプリケーション２０１上で、もし印刷ジョブ名としたいテキストがあればそれをマウス等で選択し、クリップボードにコピーする。
【００５４】
例として、図５に示すように、アプリケーションがＷｅｂブラウザソフトであればＷｅｂページに含まれるテキストをマウス等で選択してコピーする。
【００５５】
また、ワープロソフトであれば作成した原稿の一部を選択してコピーする。
【００５６】
もし印刷ジョブ名としたいテキストが本文に存在しなければ、あるいは本文のテキストをジョブ名に変えなくて良いと判断すれば、ユーザはこのステップＳ１００を飛ばして良い。
【００５７】
次にステップＳ１０１においてユーザは、アプリケーション２０１上で、プリンタ２０に対応するプリンタドライバ２０３を出力先として指定する。
【００５８】
具体的にはアプリケーション２０１に印刷指示を入力することによって表示される図６の例のような印刷ダイアログ５０上で、出力先のプリンタを一覧の中から指定する。
【００５９】
次にステップＳ１０２においてユーザは、印刷設定を行う。
【００６０】
印刷ダイアログ５０内における操作としては、出力先のプリンタを選択した状態で「Ｐｒｅｆｅｒｅｎｃｅｓ」ボタンを押して、図６に例として示すようなプリンタドライバ２０３が有するユーザインターフェース５０を呼び出して表示させる。
【００６１】
次にステップＳ１０３においてユーザは、セキュアプリントの設定を有効にする。
【００６２】
ステップ１０２で表示されたプリンタドライバ２０３のユーザインターフェース６０上における操作としては、図７の「Ｕｓｅ  Ｓｅｃｕｒｅｄ  Ｐｒｉｎｔ」のチェックボックスをオンにする。
【００６３】
これによってセキュアプリント設定が有効となる。
【００６４】
その他にも「Ｏｒｉｅｎｔａｔｉｏｎ」において用紙方向設定や「Ｐａｇｅ  Ｏｒｄｅｒ」において印刷順などの設定が行えるので必要に応じて入力を行う。
【００６５】
すべての設定が完了したら「ＯＫ」ボタンを押して印刷設定を記憶させ、印刷ダイアログ５０の画面に戻る。
【００６６】
次にステップＳ１０４においてユーザは、印刷ダイアログ５０の画面で「Ｐｒｉｎｔ」ボタンを押して印刷開始を指示する。
【００６７】
これによってグラフィックエンジン２０２からプリンタドライバ２０３へのＤＤＩ関数の入力が開始され、プリンタドライバ２０３による印刷処理が開始される。
【００６８】
プリンタドライバ２０３は初期化され印刷開始が指示されたところで、図８、図９、図１０に例として示すようなポップアップダイアログ７０を表示させ、セキュアプリントに関わる印刷設定をユーザに行わせる。
【００６９】
次にステップＳ１０５においてユーザは、セキュアプリントのジョブ名をポップアップダイアログ７０の「Ｄｏｃｕｍｅｎｔ  Ｎａｍｅ」の入力欄に入力する。
【００７０】
図８に示すように、ジョブ名の入力欄にはプリンタドライバ２０３によってデフォルトの値があらかじめ設定されている。
【００７１】
さらに図９に示すように、入力欄はコンボボックスになっており、リストに含まれるジョブ名の候補の中からそのひとつを選択することによって入力を行うこともできる。
【００７２】
印刷ジョブ名の候補は、ＤＤＩ関数で入力された印刷ジョブに含まれるテキストの中から、ジョブ名にふさわしいものがプリンタドライバ２０３によって複数ピックアップされて提示される。
【００７３】
さらに図１０に示すように、ユーザがステップＳ１００においてテキストをクリップボードにコピーしていた場合、プリンタドライバ２０３はジョブ名の第１の候補としてコピーされていたテキストを提示する。
【００７４】
ジョブ名の候補をピックアップしたり表示したりするプリンタドライバ２０３の詳細な処理については後述する。
【００７５】
次にステップＳ１０６においてユーザはセキュアプリントのユーザ名とパスワードをポップアップダイアログ７０の「Ｕｓｅｒ  Ｎａｍｅ」と「Ｐａｓｓｗｏｒｄ」の入力欄にそれぞれ入力する。
【００７６】
最後にステップＳ１０７においてユーザは、印刷継続の指示をポップアップダイアログ７０の「ＯＫ」ボタンを押すことによって指示する。
「ＯＫ」ボタンが押されるとステップＳ１０５、Ｓ１０６で入力されたジョブ名、ユーザ名、パスワードはプリンタドライバ２０３に入力され、ＰＤＬの制御コマンドの一部に変換されてプリンタ２０へ送信される。
【００７７】
≪図１１：印刷ジョブ名候補ピックアップの流れを表すフローチャート≫
図４は本発明による実施形態の詳細な処理の流れを表すフローチャートである。
【００７８】
ここでは図４を用いて説明したユーザから見た操作の流れのうち、ステップＳ１０４とＳ１０５の間にプリンタドライバ２０３において実行される内部処理について詳しく述べる。
【００７９】
まずステップＳ２０１において、プリンタドライバ２０３は、グラフィックエンジン２０２からページ開始のＤＤＩを入力が行われる。
【００８０】
次にステップＳ２０２において続けてＤＤＩ入力が行われる。
【００８１】
ステップＳ２０２で入力されるＤＤＩの種類はページ開始ＤＤＩ以外の種類のＤＤＩであって、テキスト、イメージ、グラフィックスなどの描画命令に関する描画ＤＤＩであったり、ページ終了、設定切り替えなどのジョブ制御に関するＤＤＩなどさまざまである。
【００８２】
次にステップＳ２０３において、プリンタドライバ２０３は、ステップＳ２０２で入力されたＤＤＩがテキストデータの描画ＤＤＩであるかどうか判定を行う。
【００８３】
テキストデータの描画ＤＤＩであればステップＳ２０４に、そうでなければステップＳ２０７に進む。
【００８４】
次にステップＳ２０４において、入力されたＤＤＩからテキストの文字列データおよび付随するテキスト属性データを取得する。
【００８５】
ここでテキスト属性データとしては具体的に、テキストの描画位置座標、タイプフェイス種類、フォントスタイル、フォントの大きさ、
などを含む。
【００８６】
本実施例では、テキストの描画位置座標の属性データを利用して印刷ジョブ名候補の選別を行うものとする。
【００８７】
次にステップＳ２０５において、プリンタドライバ２０３は取得したテキストの描画位置座標が紙面の４隅いずれかに位置するものかどうか判断を行う。
【００８８】
図１２にＷｅｂブラウザアプリケーションからプリンタドライバに送られてくる印刷イメージの例を示す。
【００８９】
実際にはこのようなテキストやイメージの描画情報がＤＤＩとして送信されてくる。
【００９０】
印刷機能をサポートしたＷｅｂブラウザアプリケーションは、しばしば例に示すように用紙の余白上下位置や４隅にヘッダーやフッターを印字して、ページタイトルやページ数などの情報を印刷してくる。
【００９１】
このような情報のうち、例えばページタイトルは印刷物の性質をよく表す名称となり得る。
【００９２】
一方で、Ｗｅｂブラウザアプリケーションはデフォルトの印刷ジョブ名として例えばＵＲＬのような無味乾燥な文字列を指定してくる。
【００９３】
このＵＲＬに比べれば、ヘッダーに印刷されるページタイトルの方が印刷ジョブ名としてふさわしいため、このページタイトルをプリンタドライバ２０３において捕捉する方法を考える。
【００９４】
捕捉を行うには、ステップＳ２０4で取得したテキスト描画ＤＤＩの描画位置座標が他のテキストのそれよりも隅の方にあるかどうかを判定する。
【００９５】
すなわち、新しいテキスト描画ＤＤＩが入力されるたびにその描画位置座標がそのページ内ですでに入力済みのテキスト描画ＤＤＩよりも右上か、左上か、右下か、左下か、それぞれについて判定を行う。
【００９６】
判定の結果、すでに入力済みのテキストよりも隅の方に位置すると判定された場合ステップＳ２０６に進み、そうでなければＳ２０７に進む。
【００９７】
次にステップＳ２０６において、プリンタドライバ２０３は４隅に位置するテキストの情報を更新する。
【００９８】
すなわち、たとえば現在記憶されている最も右上にあるテキストよりも、入力されたテキストの方がより右上にあるとステップＳ２０５で判定されたならば、最も右上にあるテキストを入力されたテキストにその位置情報とともに置き換えて更新する。
【００９９】
その他の隅である左上、右下、左下についても同様である。
【０１００】
ステップＳ２０７においてプリンタドライバ２０３は入力されたＤＤＩがページ終了の制御命令ＤＤＩであるかどうか判定する。
【０１０１】
ページ終了命令でなければ入力されたＤＤＩを通常通りに処理して再び新しいＤＤＩを受け付けるためにステップＳ２０２に戻り、そうでなくページ終了命令であったならばステップＳ２０８に進む。
【０１０２】
次にステップＳ２０８においてプリンタドライバ２０３は、ステップＳ２０４〜Ｓ２０６によって判定され、更新された４隅に位置するテキストの印刷ジョブ名の候補としてリスト化する。
【０１０３】
図１２に示すような印刷イメージが入力された場合、そのテキストのリストは、「IT Awareness: network outage notification」、「Page 1 of 1」、「http://it.mycompany.com/main.aspx?a...」、「2007/11/18」となる。
【０１０４】
次にステップＳ２０９においてプリンタドライバ２０３は、クリップボード内の情報を取得して、テキスト情報が格納されているかどうか判定する。
【０１０５】
テキスト情報が含まれていればステップＳ２１０に進み、クリップボードから取得したテキストをジョブ名候補のリストに追加し、追加したテキストをデフォルト候補に設定して図１０のようにポップアップのＵＩを表示する。
【０１０６】
テキスト情報が含まれていなければステップＳ２１１に進み、ステップＳ２０８で作成したリストのうち最も右上のテキストとされたものをデフォルト候補に設定して図９のようにポップアップのＵＩを表示する。
【０１０７】
このようにしてプリンタドライバ２０３は、印刷ジョブに含まれるテキストから選定された文字列を印刷ジョブ名の候補として選定し、ユーザインターフェースで提示することができる。
【０１０８】
（その他の実施例）
前記実施例ではステップＳ２０４〜２０６においてテキストデータの描画位置座標が４隅に位置しているかどうかによってジョブ名の候補となるテキストの選定を行ったが他の属性情報を使用して選定を行ってもよい。
【０１０９】
例えば、文字フォントのサイズが最も大きいテキストをピックアップする、特定のタイプフェイスやスタイル、色などで書かれたテキストをピックアップするなどである。
【０１１０】
こうした属性情報を利用することによっても、印刷するデータの特徴をよくとらえた文字列を抽出することが可能となり、ユーザはその中からデフォルトのジョブ名よりもふさわしいジョブ名を容易に選択し決定することができる。
【図面の簡単な説明】
【０１１１】
【図１】本発明の実施例における印刷システムの構成を示す図。
【図２】本発明の実施例におけるホストコンピュータの内部システム構成を示す図。
【図３】本発明の実施例における印刷処理のための詳細なシステム構成を示す図。
【図４】本発明の実施例における印刷システムのユーザの操作を中心とする流れを示す図。
【図５】本発明の実施例における印刷システムの印刷アプリケーション上でテキストを選択・コピーしている状態の一例を示す図。
【図６】本発明の実施例における印刷システムの印刷ダイアログの一例を示す図。
【図７】本発明の実施例における印刷システムのプリンタドライバの印刷設定ユーザインターフェースの一例を示す図。
【図８】本発明の実施例における印刷システムのプリンタドライバが表示するポップアップダイアログの一例を示す図。
【図９】本発明の実施例における印刷システムのプリンタドライバが表示するポップアップダイアログの一例を示す図。
【図１０】本発明の実施例における印刷システムのプリンタドライバが表示するポップアップダイアログの一例を示す図。
【図１１】本発明の実施例における印刷システムのプリンタドライバの処理を中心とする流れを示す図。
【図１２】本発明の実施例における印刷システムのアプリケーションから入力される印刷イメージの一例を示す図。
【図１】
2010113595.tif 000003
【図２】
2010113595.tif 000004
【図３】
2010113595.tif 000005
【図４】
2010113595.tif 000006
【図５】
2010113595.tif 000007
【図６】
2010113595.tif 000008
【図７】
2010113595.tif 000009
【図８】
2010113595.tif 000010
【図９】
2010113595.tif 000011
【図１０】
2010113595.tif 000012
【図１１】
2010113595.tif 000013
【図１２】
2010113595.tif 000014